(57)【要約】【課題】  本発明は、データベースなど多量に保持されているデータ集合の中や、インターネットにおける検索エンジンなど、検索者がキーワードを指定することにより、検索者の意とするデータを検索するシステムキーワードを指定することにより、検索者の意とする拡充されたデータを検索するシステムなどに適用可能である。【解決手段】  本願発明は、検索システムに入力された検索キーワードを解析して、検索キーワード中に動詞語句が存在するかを検索・抽出し、次に抽出した動詞語句に対して主部となる名詞語句の存在を判定して、当該主述関係を持つ動詞語句と名詞語句に対応する格語句情報となる語句を検出し、これを抽出した格語句情報を検索キーワードとして拡充することで、検索漏れを縮小し検索効率を向上させる検索キーワード拡充検索システムを開発したのである。【選択図】      図１
2005275524.tif 000002
【特許請求の範囲】
【請求項１】
基本的な単語を知識として単語の表記と言語解析に必要となる解析情報を保持する基本辞書部と、基本辞書部中の動詞語句に対して、その主部となる名詞語句との主述関係情報を保持すると共に主述関係情報の組み合わせ毎にその道具や手段や場所などの格を示す語句である格語句情報をセットで保持する格知識言語辞書部とを有する言語解析を行う知識辞書データーベースと、
検索システムに入力された検索キーワードを解析するロジックであって、前記言語解析を行う知識辞書データーベースの基本辞書部を用いて検索キーワード中に動詞語句が存在するかを検索し、存在する場合にはその動詞語句を抽出すると共に、知識言語辞書手段を用いて抽出した動詞語句に対して主部となる名詞語句が存在するかを判定し、存在する場合にはその名詞語句を抽出することで検索キーワード中の主述関係情報を抽出する検索キーワード解析手段と、
前記検索キーワード解析手段で検索システムに入力された検索キーワードを解析した結果、動詞語句とその動詞語句の主部となる名詞語句が存在した場合、その主述関係を持つ動詞語句と名詞語句に対応する格語句情報となる語句を、前記格知識言語辞書部から検出する格語句情報検索手段とからなり、
検索システムに入力された検索キーワードから前記言語解析を行う知識辞書データーベースと検索キーワード解析手段を介して動詞語句とその動詞語句の主部となる名詞語句を抽出することで検索キーワード中の主述関係情報を抽出し、動詞語句とその動詞語句の主部となる名詞語句が存在した場合、格語句情報検索手段を用いてその主述関係を持つ動詞語句と名詞語句に対応する格語句情報となる語句を検出し、その検出した格語句情報を検索キーワードとして拡充したうえ、当該入力された検索キーワードと拡充された検索キーワードから検索することで検索漏れを縮小し、これによって検索効率を向上するようにしたことを特徴とする共起動詞情報による検索要求理解キーワード拡充検索システム。
【請求項２】
基本的な単語を知識として単語の表記と言語解析に必要となる解析情報を保持する基本辞書部と、
基本辞書部中の動詞語句に対して、その主部となる名詞語句との主述関係情報を保持すると共に
主述関係情報の組み合わせ毎にその道具や手段や場所などの格を示す語句である格語句情報をセットで保持する格知識言語辞書部とを有することを特徴とする言語解析を行う知識辞書データーベース。
【請求項３】
検索システムに入力された検索キーワードを解析するロジックであって、
基本的な単語を知識として単語の表記と言語解析に必要となる解析情報を保持する基本辞書部を用いて検索キーワード中に動詞語句が存在するかを検索し、存在する場合にはその動詞語句を抽出すると共に、
抽出した動詞語句に対して主部となる名詞語句が存在するかを判定し、
存在する場合にはその名詞語句を抽出することで
検索キーワード中の主述関係情報を抽出することを特徴とする検索キーワード解析手段。
【請求項４】
請求項３に記載する検索キーワード解析手段で検索システムに入力された検索キーワードを解析した結果、動詞語句とその動詞語句の主部となる名詞語句が存在した場合、
その主述関係を持つ動詞語句と名詞語句に対応する格語句情報となる語句を、請求項１に示す格知識言語辞書部から検出することを特徴とする格語句情報検索手段。
【請求項５】
請求項４に示す格語句情報検索手段が抽出した格語句情報を検索キーワードとして拡充することで、
検索漏れを縮小し、これによって検索効率を向上するようにしたことを特徴とする共起動詞情報による検索要求理解キーワード拡充検索システム。
【請求項６】
請求項２に記載す言語解析を行う知識辞書データーベースと、請求項３に記載する検索キーワード解析手段と、請求項４に記載する格語句情報検索手段とからなり、
検索者が指定し入力した検索キーワードから前記言語解析を行う知識辞書データーベースと検索キーワード解析手段を介して動詞語句とその動詞語句の主部となる名詞語句を抽出することで検索キーワード中の主述関係情報を抽出し、動詞語句とその動詞語句の主部となる名詞語句が存在した場合、格語句情報検索手段を用いてその主述関係を持つ動詞語句と名詞語句に対応する格語句情報となる語句を検出し、検索者が指定した入力キーワードから検索者の検索意図を理解、推論し、当該検索者の検索意図をより的確に表現する検索キーワードを生成するようにしたことを特徴とする検索意図推論キーワード生成システム。
【発明の詳細な説明】
【技術分野】
【０００１】
本発明は、データベースなど多量に保持されているデータ集合の中から、検索者がキーワードを指定することにより、検索者の意とするデータを検索するシステムに適用可能である。また、インターネットにおける検索エンジンなど、検索者がキーワードを指定することにより、検索者の意とするページを検索するシステムや、キーワードを指定することにより、検索者の意とする拡充されたデータを検索するシステムなどに適用可能である。
【背景技術】
【０００２】
従来のデータベースなど多量に保持されているデータ集合の中から、検索者がキーワードを指定することにより、検索者の意とするデータを検索するシステムにおいては、検索者が指定したキーワードのみを対象として、データ集合内に存在する文字情報との照合を行い、完全に一致する文字列を含むデータを検索結果として抽出していた。
【０００３】
また近年は、検索者が入力したキーワードの表記の揺れへの対応として、キーワードが「アイウエオ」などカタカナで表記していても、同一文字列の平仮名文字列「あいおえお」も検索対象キーワードとしたり、英字キーワードを全角小文字で「ａｂｃ」と指定しても半角小文字「abc」や全角大文字「ＡＢＣ」、半角大文字「ＡＢＣ」も検索対象キーワードとするなどの検索者が入力したキーワードを拡張解釈する機能は存在していた。そのほかにも、「行う」と「行なう」などの送り仮名の表記揺れを単語単位で処理できる単純にキーワードを拡張解釈する機能は存在していた。
【発明の開示】
【発明が解決しようとする課題】
【０００４】
検索システムにおいては、検索者が入力したキーワードと検索対象となるデータ集合内に存在する文字情報とを照合することで、完全に一致する文字列が含まれるデータを検索結果として出力するものが普通である。また、前記背景技術にも記載したように検索者が入力したキーワードに対して単純に拡張解釈する場合においても、入力したキーワードそのままの文字列を照合した後に、拡張解釈により作成されたキーワード文字列に対しての照合を行っているだけであった。
【０００５】
このように、これまでの検索システムにおいては、検索者が入力したキーワードに対しては、その意味内容をなどはまったく考慮せず、ただ単なる記号列として取り扱われ、検索対象となるデータ集合内に存在する文字情報と照合をするだけであった。
【０００６】
このような状況下で、検索者が持っている具体的な検索イメージをキーワードの中に反映できなかった場合、検索結果は検索者の意図とはかけ離れたものを出力するものになってしまう。このようにこれまでの検索システムでは、検索者の持つ知識量のほか、検索システムに対する利用経験によって得られる検索システムの癖をどの程度把握しているかという知識量により、その検索結果に大きく左右されてしまうという問題点が生じていた。
【課題を解決するための手段】
【０００７】
上記課題を解決するために、本願発明は、検索システムに入力された検索キーワードを解析して、検索キーワード中に動詞語句が存在するかを検索・抽出し、次に抽出した動詞語句に対して主部となる名詞語句の存在を判定して、当該主述関係を持つ動詞語句と名詞語句に対応する格語句情報となる語句を検出して、これを抽出した格語句情報を検索キーワードとして拡充することで、検索漏れを縮小し検索効率を向上させる検索キーワード拡充検索システムを開発したのである。
【０００８】
特許を受けようとする第１発明は、基本的な単語を知識として単語の表記と言語解析に必要となる解析情報を保持する基本辞書部と、基本辞書部中の動詞語句に対して、その主部となる名詞語句との主述関係情報を保持すると共に主述関係情報の組み合わせ毎にその道具や手段や場所などの格を示す語句である格語句情報をセットで保持する格知識言語辞書部とを有する言語解析を行う知識辞書データーベースと、検索システムに入力された検索キーワードを解析するロジックであって、前記言語解析を行う知識辞書データーベースの基本辞書部を用いて検索キーワード中に動詞語句が存在するかを検索し、存在する場合にはその動詞語句を抽出すると共に、知識言語辞書手段を用いて抽出した動詞語句に対して主部となる名詞語句が存在するかを判定し、存在する場合にはその名詞語句を抽出することで検索キーワード中の主述関係情報を抽出する検索キーワード解析手段と、前記検索キーワード解析手段で検索システムに入力された検索キーワードを解析した結果、動詞語句とその動詞語句の主部となる名詞語句が存在した場合、その主述関係を持つ動詞語句と名詞語句に対応する格語句情報となる語句を、前記格知識言語辞書部から検出する格語句情報検索手段とからなり、検索システムに入力された検索キーワードを前記言語解析を行う知識辞書データーベースと検索キーワード解析手段を介して動詞語句とその動詞語句の主部となる名詞語句を抽出することで検索キーワード中の主述関係情報を抽出し、動詞語句とその動詞語句の主部となる名詞語句が存在した場合、格語句情報検索手段を用いてその主述関係を持つ動詞語句と名詞語句に対応する格語句情報となる語句を検出し、その検出した格語句情報を検索キーワードとして拡充したうえ、当該入力された検索キーワードと拡充された検索キーワードとから検索することで検索漏れを縮小し、これによって検索効率を向上するようにしたことを特徴とする共起動詞情報による検索要求理解キーワード拡充検索システムである。
【０００９】
当該第１発明は、言語解析を行う知識辞書データーベースと、検索キーワード解析手段と、格語句情報検索手段とで構成され、検索システムに入力された検索キーワードを解析して、当該主述関係を持つ動詞語句と名詞語句に対応する格語句情報となる語句を抽出し、この格語句情報を検索キーワードとして拡充することで、検索漏れを縮小し検索効率を向上させる共起動詞情報による検索要求理解キーワード拡充検索システムである。
【００１０】
特許を受けようとする第２発明は、基本的な単語を知識として単語の表記と言語解析に必要となる解析情報を保持する基本辞書部と、基本辞書部中の動詞語句に対して、その主部となる名詞語句との主述関係情報を保持すると共に、主述関係情報の組み合わせ毎にその道具や手段や場所などの格を示す語句である格語句情報をセットで保持する格知識言語辞書部とを有することを特徴とする言語解析を行う知識辞書データーベースである。
【００１１】
当該第２発明では、検索システムに入力された検索者の検索要求を理解するシステムに係わる第１の手段としての言語解析を行う知識辞書データーベースであって、基本的な単語を知識として単語の表記と言語解析に必要となる解析情報を保持する基本辞書部と、基本辞書部中の動詞語句に対して、その主部となる名詞語句との主述関係情報を保持すると共に主述関係情報の組み合わせ毎にその道具や手段や場所などの格を示す語句である格語句情報をセットで保持する格知識言語辞書部とを有する辞書を採用したものである。
【００１２】
特許を受けようとする第３発明は、検索システムに入力された検索キーワードを解析するロジックであって、基本的な単語を知識として単語の表記と言語解析に必要となる解析情報を保持する基本辞書部を用いて検索キーワード中に動詞語句が存在するかを検索し、存在する場合にはその動詞語句を抽出すると共に、抽出した動詞語句に対して主部となる名詞語句が存在するかを判定し、存在する場合にはその名詞語句を抽出することで検索キーワード中の主述関係情報を抽出することを特徴とする検索キーワード解析手段である。
【００１３】
当該第３発明は、検索システムに入力された検索者の検索要求を理解するシステムに係わる第２の手段として、検索キーワード中の主述関係情報を抽出する検索キーワード解析手段を採用した。当該検索キーワード解析手段は、検索システムに入力された検索キーワードを解析するロジックであって、上記第１の手段における基本辞書部を用いて検索キーワード中に動詞語句が存在するかを検索し、存在する場合にはその動詞語句を抽出すると共に、抽出した動詞語句に対して主部となる名詞語句が存在するかを判定し、存在する場合にはその名詞語句を抽出することで検索キーワード中の主述関係情報を抽出する。
【００１４】
特許を受けようとする第４発明は、第３発明に記載する検索キーワード解析手段で検索システムに入力された検索キーワードを解析した結果、動詞語句とその動詞語句の主部となる名詞語句が存在した場合、その主述関係を持つ動詞語句と名詞語句に対応する格語句情報となる語句を、第１発明に示す格知識言語辞書部から検出することを特徴とする格語句情報検索手段である。
【００１５】
当該第４発明は、検索システムに入力された検索者の検索要求を理解するシステムに係わる第３の手段として、上記第１の手段に示す格知識言語辞書部から検出することを特徴とする格語句情報検索手段を採用する。当該格語句情報検索手段は、上記第２の手段で動詞語句とその動詞語句の主部となる名詞語句が存在した場合、その主述関係を持つ動詞語句と名詞語句に対応する格語句情報となる語句を、上記第１の手段に示す格知識言語辞書部から検出する。
【００１６】
特許を受けようとする第５発明は、第４発明に示す格語句情報検索手段が抽出した格語句情報を検索キーワードとして拡充することで、検索漏れを縮小し、これによって検索効率を向上するようにしたことを特徴とする共起動詞情報による検索要求理解キーワード拡充検索システムである。
【００１７】
当該第５発明は、検索システムに入力された検索者の検索要求を理解するシステムに係わる第４の手段として、上記第３の手段に示す格語句情報検索システムが抽出した格語句情報を検索キーワードとして拡充することで、検索漏れを縮小し検索効率を向上する検索システムである。
【００１８】
特許を受けようとする第６発明は、請求項２に記載す言語解析を行う知識辞書データーベースと、請求項３に記載する検索キーワード解析手段と、請求項４に記載する格語句情報検索手段とからなり、検索者が指定し入力した検索キーワードから前記言語解析を行う知識辞書データーベースと検索キーワード解析手段を介して動詞語句とその動詞語句の主部となる名詞語句を抽出することで検索キーワード中の主述関係情報を抽出し、動詞語句とその動詞語句の主部となる名詞語句が存在した場合、格語句情報検索手段を用いてその主述関係を持つ動詞語句と名詞語句に対応する格語句情報となる語句を検出し、検索者が指定した入力キーワードから検索者の検索意図を理解、推論し、当該検索者の検索意図をより的確に表現する検索キーワードを生成するようにしたことを特徴とする検索意図推論キーワード生成システムである。
【００１９】
当該第６発明は、キーワード検索処理の先行処理として、検索者が指定した入力キーワードから検索者の検索意図を理解、推論し、当該検索者の検索意図をより的確に表現する検索キーワードを生成する検索意図推論キーワード生成システムを具現化したものである。これにより、検索者の意図をを推論し、適切なキーワードに置き換え、検索処理を実行すればより的確な検索キーワードによる検索が行われ、的中率を向上させることができる。
【発明の効果】
【００２０】
本願発明は、検索者が検索システムに対して指定した入力検索キーワードだけでなく、検索者の検索意図を反映したキーワードである格語句情報も自動的に追加、拡充することになる。よって、データ検索手段は、検索者が検索システムに対して指定した入力検索キーワードと、検索者の検索意図を反映した格語句情報に基づく拡充検索キーワードとにより、検索対象データ集合からデータ検索を行い、その検索結果データを出力する。
【００２１】
以上のように、検索者が指定した入力検索キーワードから、検索者の意図を推論した格語句情報を検索キーワードとして拡充し、両検索キーワードによって検索処理を実行するので検索の的中率を向上させることができると共に、検索の漏れ率を低下させることができる。
【００２２】
また、本発明は、検索者の検索意図を反映したキーワードの拡充に際して、言語解析を行う知識辞書データーベースから自動的に追加するので、常に安定した検索要求理解キーワードの拡充が可能となり、検索者の持つ知識量の程度や、検索システムに対する利用経験によって得られる検索システムの癖をどの程度把握しているかという経験知識量などの個人差により、その検索結果に大きく左右されてしまうという問題点を解消することができる。
【発明を実施するための最良の形態】
【００２３】
以下、図面を参照して、本発明に係わる共起動詞情報による検索要求理解キーワード拡充検索システムの一実施形態について説明する。
なお本発明の実施形態は、複数のデータから構成される検索対象データ集合から、検索者がキーワードを入力することで、検索者の意とするデータを検索するシステムに対して、検索を実行する処理を行うものである。ここで、インターネットは複数のページから構成されているため、検索対象データ集合をインターネットに置き換えれば、インターネットの検索システムとしても、同様の構成で実現可能である。
【００２４】
図１は、本発明の実施形態のシステム構成図である。まず、検索者が検索システムに対して指定した入力検索キーワード１は、検索キーワード拡充システム２中の検索キーワード解析手段２１によって解析が行われる。解析の手順は、格知識言語辞書部３中の基本辞書部３１を用いて検索キーワード中に動詞語句が存在するかを検索する。存在する場合にはその動詞語句を抽出すると共に、抽出した動詞語句に対して主部となる名詞語句が存在するかを判定し、存在する場合にはその名詞語句を抽出することで検索キーワード中の主述関係情報２２を抽出する。
【００２５】
検索キーワード中に主述関係情報２２が存在する場合、抽出した主述関係情報２２に対して、格語句情報検索手段２３により格知識言語辞書部３中の格語句情報３２に検索者の深層要求を示す格情報が存在するかを判定する。存在する場合、検索者の深層要求を示す格情報に登録されているキーワードである格語句情報２４を抽出する。検索キーワード拡充システム２は、抽出した格語句情報２４をデータ検索手段５へと受け渡す。
【００２６】
以上の処理により、データ検索手段５に入力される検索キーワードは、検索者が検索システムに対して指定した入力検索キーワード１だけでなく、検索者の検索意図を反映した格語句情報２４に基ずく拡充検索キーワードも自動的に追加する。そのうえで、データ検索手段５は、検索者が検索システムに対して指定した入力検索キーワード１と検索者の検索意図を反映した格語句情報２４による拡充検索キーワードとにより、検索対象データ集合４から、データ検索を行い検索結果データ６を出力する。
【００２７】
このように本発明は、データ検索手段５に入力される入力検索キーワードから検索者の検索意図を反映した格語句情報２４に基づく拡充検索キーワードを自動的に追加、拡充する。そのうえで入力検索キーワードと拡充検索キーワードによって検索処理を実行するので検索の的中率を向上させることができると共に、検索の漏れ率を低下させることができる。
【００２８】
また、本発明は、入力検索キーワードの追加・拡充に際して、言語解析を行う知識辞書データーベースから自動的に追加するので、常に安定した検索要求理解キーワードの拡充が可能となり、検索者の持つ知識量のほか、検索システムに対する利用経験によって得られる検索システムの癖をどの程度把握しているかという知識量により、その検索結果に大きく左右されてしまうという問題点を解決するものである。
【実施例１】
【００２９】
以下、図面を参照して、本発明に係わる共起動詞情報による検索要求理解キーワード拡充システムの実施例を、上記の「発明を実施するための最良の形態」における入力検索キーワード１を具体化して説明する。
【００３０】
図２は、入力検索キーワード１として「ワイン  上手  造る」１１と３つの単語を指定した場合を例に、本発明に係わる共起動詞情報による検索要求理解キーワード拡充システムによる処理で、入力検索キーワード「ワイン  上手  造る」１１がどのように解析されるかを、そのデータ遷移により具象化した図である。
【００３１】
図３は、格知識言語辞書部３中の格語句情報３２の内容のうち、一部分を抜粋したものの構成を記した例である。
【００３２】
入力検索キーワード１として入力された「ワイン  上手  造る」１１の３つの単語は、検索キーワード拡充システム２中の検索キーワード解析手段２１によって解析が行われる。解析の手順は、「ワイン  上手  造る」１１の各々の単語を格知識言語辞書部３中の基本辞書部３１内に登録された語句と照合する。このとき、検索キーワード解析手段２１では、形容詞や動詞などの語尾活用や、カタカナ表記とひらがな表記など表記の揺れがあっても照合できる機能を持たせるとよい。
【００３３】
検索キーワード解析手段２１では、入力検索キーワードの「ワイン  上手  造る」１１の品詞が、「ワイン（名詞）」、「上手（形容詞）」、「造る（動詞）」という情報を得る。
【００３４】
ここで、「造る（動詞）」が動詞であることから、この動詞の主格となる名詞が存在するかの係り受けを解析する。係り受け解析の結果、「ワイン（名詞）」は、「造る（動詞）」の主格になりうる名詞なので、検索キーワード解析手段２１は主述関係情報として「ワイン−造る」２２１を出力する。
【００３５】
格語句情報検索手段２３では、「ワイン−造る」２２１より、この主述関係の情報が格語句情報３２に存在するかを確認する。格語句情報３２の構造は、図３に示すように、「ワイン（名詞）」３２１と「造る（動詞）」３２２といように、主述関係を構成する名詞と動詞が一対になっており、主述関係となる名詞と動詞の語句が決定すれば、容易に検索できるような構造となっている。
【００３６】
格語句情報検索手段２３では、主述関係情報２２が「ワイン−造る」２２１より、図３に示す「ワイン（名詞）」３２１と「造る（動詞）」３２２を検索する。この主述関係情報には、その下位階層に場所格３２３や道具格２３４や手段格３２５などが存在する。ここで、場所格３２３に登録されている格語句情報「ワイナリー、シャトー、…」３２６や、道具格３２４に登録されている格語句情報「ワインキット、樽、…」３２７などを検索し、「ワイナリー、シャトー、ワインキット、樽、…」２４１などの語句を格語句情報２４として出力する。
【００３７】
このように本システムを適用すれば、上述の例に示すように、「ワインを造りたい」という検索者の深層要望に対して、検索者が目的に対する専門的な言葉である「ワイナリー」や「シャトー」などの単語を知らなくても、これらの専門的な用語を検索キーワードとして自動的に拡充でき、結果的に検索の的中率を向上させるという効果をもたらすものである。
【実施例２】
【００３８】
本発明は、入力検索キーワード１として、ただキーワードを指定するだけでなく、自然言語文を入力する自然言語指定検索システムとして拡張することも可能である。図２に示す、本発明に係わる共起動詞情報による検索要求理解キーワード拡充システムによる処理で、例えば入力検索キーワード１として自然言語文「ワインを上手に造りたい。」が入力された場合を例に解説する。
【００３９】
入力された「ワインを上手に造りたい。」は、検索キーワード拡充システム２中の検索キーワード解析手段２１によって解析する。この場合、検索キーワード解析手段２１に既存の文を単語単位に分割し、分割した単語の品詞を確定する形態素解析システムを導入すれば、入力文「ワインを上手に造りたい。」から、「ワイン（名詞）」、「上手（形容詞）」と動詞の終止形である「造る（動詞）」を抽出することができる。
【００４０】
以上のように、検索キーワード解析手段２１に形態素解析システムを導入することで「ワイン（名詞）」、「上手（形容詞）」と「造る（動詞）」が抽出できれば、その後の処理は前記「実施例１」から「実施例２」に示す手順と同様で、キーワードの拡充処理が可能となる。
【実施例３】
【００４１】
本発明は、キーワードを拡充するだけでなく、検索者の検索意図を理解し、検索者が指定した入力キーワードよりも検索者の検索意図をより的確に表現する検索キーワードを生成する検索意図推論キーワード生成システムとしても適用可能である。
【００４２】
例えば、入力検索キーワード１として、自然言語文で「ワインを上手に造れる場所を知りたい。」１２とか、「ワイン、造る、場所」など、動詞の「造る（動詞）」と、その動詞と主述関係を構成する名詞「ワイン（名詞）」、更には主述関係情報である「ワイン−造る」に存在する格情報である「場所」が抽出できれば、検索者が指定したキーワードを破棄し、「ワイン−造る」の場所格の単語のみを検索キーワードとすることも可能である。
【００４３】
この処理を行う場合、検索者が入力した入力検索キーワード１を破棄しなければならないので、図４に示すように、データ検索手段５も本発明の検索キーワード拡充システム２内の一部分に取り込めば、検索キーワード拡充システム２においてデータ検索手段５を制御可能となるため、実現可能である。
【００４４】
以上のように、検索者が指定した入力検索キーワード１から、検索者の意図を推論し、適切なキーワードに置き換え、検索処理を実行すれば検索の的中率を向上させることが可能と共に、検索の漏れ率を低下させることが可能となるであろう。
【産業上の利用可能性】
【００４５】
以上のように、本発明の共起動詞情報による検索要求理解キーワード拡充システムを、データベースの検索エンジンやインターネットの検索エンジンなど多量のデータ集合からキーワードを指定することで検索を実行する検索システム中に組み込めば、検索者が検索意図を反映するためのキーワードを指定する操作をサポートし、より検索効率を向上できる検索システムを実現することが可能となる。
【図面の簡単な説明】
【００４６】
【図１】本発明の検索システムにおける共起動詞情報による検索要求理解キーワード拡充システム構成の一例を示した図である。
【図２】図１に示す本発明の共起動詞情報による検索要求理解キーワード拡充システムに対して具体的な入力検索キーワードを与えた場合のデータの遷移の一例を示した図である。
【図３】本発明の格知識言語辞書部における格語句情報に登録されているデータの一例を示した図である。
【図４】本発明の検索システムにおける共起動詞情報による検索要求理解キーワード拡充システムを応用し、検索者の意図を推論したキーワード生成システムへ拡張した場合のデータの遷移の一例を示した図である。
【符号の説明】
【００４７】
１   ：入力検索キーワード
１１  ：入力検索キーワードの一例
１２  :入力検索キーワードの一例
２    ：検索キーワード拡充システム
２１    ：検索キーワード解析手段
２２    ：主述関係情報
２２１  ：主述関係情報の一例
２２２  ：主述関係情報の一例
２３    ：格語句情報検索手段
２４    ：格語句情報
２４１  ：格語句情報の一例
３    ：格知識言語辞書部
３１    ：基本辞書部
３２    ：格語句情報
３２１  ：格語句情報主部の一例
３２２  ：格語句情報述部の一例
３２３  ：格語句情報の場所格
３２４  ：格語句情報の道具格
３２５  ：格語句情報の手段格
３２６  ：格語句情報の場所格登録語句の一例
３２７  ：格語句情報の道具格登録語句の一例
４    ：検索対象データ集合
５    ：データ検索手段
６    ：検索結果データ
【図１】
2005275524.tif 000003
【図２】
2005275524.tif 000004
【図３】
2005275524.tif 000005
【図４】
2005275524.tif 000006